【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
ディスプレイデバイスであって、
第１のスペクトル分布を有する第１の光エミッタと、
第１の導波管であって、前記第１の導波管は、前記第１の光エミッタに対して配置され、前記第１の光エミッタからの光を受光し、前記第１の導波管は、第１の経路に沿って、光を導波管から外に射出するように構成される、第１の導波管と、
前記第１の光エミッタの前記第１のスペクトル分布と異なる第２のスペクトル分布を有する第２の光エミッタと、
第２の導波管であって、前記第２の導波管は、前記第２の光エミッタに対して配置され、前記第２の光エミッタからの光を受光し、前記第２の導波管は、第２の経路に沿って、光を導波管から外に射出するように構成される、第２の導波管と、
空間光変調器であって、前記空間光変調器は、前記第１および第２の導波管に対して配置され、前記第１および第２の導波管から射出された前記光を受光し、前記光を変調させる、空間光変調器と
を備え、
前記ディスプレイデバイスは、前記第１および第２の導波管からの前記光が、前記空間光変調器によって変調された後、前記第１および第２の経路に沿って、異なる角度で指向され、前記第１の導波管からの前記光および前記第２の導波管からの前記光が、前記空間光変調器によって変調された後、前記導波管および空間光変調器からある距離における個別の第１および第２の空間場所上に入射するように構成される、ディスプレイデバイス。
【請求項２】
前記第１および第２の光エミッタは、発光ダイオード（ＬＥＤ）を備える、請求項１に記載のディスプレイデバイス。
【請求項３】
前記第１および第２の光エミッタは、第１および第２の色の発光ダイオード（ＬＥＤ）を備え、前記第１の色のＬＥＤは、前記第２のＬＥＤと異なる色を有する、請求項２に記載のディスプレイデバイス。
【請求項４】
前記第１および第２のスペクトル分布と異なる第３のスペクトル分布を有する第３の光エミッタと、
第３の導波管であって、前記第３の導波管は、前記第３の光エミッタに対して配置され、前記第３の光エミッタからの光を受光し、前記第３の導波管は、第３の経路に沿って、光を導波管から外に射出するように構成され、前記空間光変調器は、前記第３の導波管に対して配置され、前記第３の導波管から射出された前記光を受光し、前記光を変調させる、第３の導波管と
をさらに備え、
前記ディスプレイデバイスは、前記第３の導波管からの前記光が、前記空間光変調器によって変調された後、前記第３の経路に沿って、前記第１および第２の経路と異なる角度で指向され、前記第１、第２、および第３の導波管からの前記光が、前記空間光変調器によって変調された後、前記導波管および空間光変調器からある距離における個別の第１、第２、および第３の空間場所上に入射するように構成される、請求項１に記載のディスプレイデバイス。
【請求項５】
前記第１、第２、および第３の光エミッタは、発光ダイオード（ＬＥＤ）を備える、請求項４に記載のディスプレイデバイス。
【請求項６】
前記第１、第２、および第３の光エミッタは、第１、第２、および第３の色の発光ダイオード（ＬＥＤ）を備え、前記第１の色のＬＥＤは、前記第２の色のＬＥＤおよび第３の色のＬＥＤと異なる色を有し、前記第２の色のＬＥＤは、前記第３の色のＬＥＤと異なる色を有する、請求項５に記載のディスプレイデバイス。
【請求項７】
前記第１、第２、および第３の光エミッタは、それぞれ、赤色、緑色、および青色の発光ダイオード（ＬＥＤ）を備える、請求項６に記載のディスプレイデバイス。
【請求項８】
第４の導波管であって、前記第４の導波管は、前記第１の導波管および前記第１の経路に対して配置され、前記空間光変調器によって変調された後、第１の導波管からの光を受光する、それと関連付けられた内部結合光学要素を有する、第４の導波管と、
第５の導波管であって、前記第５の導波管は、前記第２の導波管および前記第２の経路に対して配置され、前記空間光変調器によって変調された後、第２の導波管からの光を受光する、それと関連付けられた内部結合光学要素を有する、第５の導波管と
をさらに備え、
それぞれ、前記第４および第５の導波管と関連付けられた前記内部結合光学要素は、それぞれ、前記第１および第２の経路に沿って、前記第１および第２の空間場所に位置し、それぞれ、前記第１および第２の光エミッタからの前記光を受光する、請求項１−７のいずれかに記載のディスプレイデバイス。
【請求項９】
前記第４および第５の導波管と関連付けられた前記内部結合光学要素は、光が、全内部反射によって、前記導波管内で誘導されるように、前記光を、それぞれ、第４および第５の導波管の中に方向転換させるように構成される、請求項８に記載のディスプレイデバイス。
【請求項１０】
前記第４および第５の導波管のための前記内部結合光学要素は、全内部反射によって、その中で誘導されるように、光を、それぞれ、前記第４および第５の導波管の中に再指向するように構成される、方向転換特徴を備える、請求項８または９に記載のディスプレイデバイス。
【請求項１１】
前記内部結合光学要素は、１つ以上の回折光学要素、回折格子、ホログラフィック光学要素、またはメタ表面を備える、請求項１０に記載のディスプレイデバイス。
【請求項１２】
前記内部結合光学要素のうちの１つ以上のものは、波長選択的光学要素を備える、請求項８−１１のいずれか１項に記載のディスプレイデバイス。
【請求項１３】
前記第１の光エミッタは、点光源を備える、請求項１に記載のディスプレイデバイス。
【請求項１４】
前記第１の光エミッタは、ライン光源を備える、請求項１に記載のディスプレイデバイス。
【請求項１５】
前記第１の光エミッタは、略線形配列のＬＥＤを備える、請求項１４に記載のディスプレイデバイス。
【請求項１６】
光を前記第１の導波管の中に指向する光ガイドを備える、請求項１に記載のディスプレイデバイス。
【請求項１７】
前記光ガイドは、前記第１の導波管の境界上に配置され、反射要素が、前記光ガイドの１つの境界に沿って配置される、請求項１６に記載のディスプレイデバイス。
【請求項１８】
光は、第１の外部結合要素を介して、前記第１の導波管から外部結合される、請求項１に記載のディスプレイデバイス。
【請求項１９】
前記第１の外部結合要素は、体積位相格子を備える、請求項１８に記載のディスプレイデバイス。
【請求項２０】
前記第１の外部結合要素は、コレステリック液晶格子を備える、請求項１８に記載のディスプレイデバイス。
【請求項２１】
前記第１の外部結合要素の回折効率は、前記第１の光エミッタまでの前記第１の外部結合要素の距離に沿って変動する、請求項１８−１９のいずれかに記載のディスプレイデバイス。
【請求項２２】
前記第１の外部結合要素は、複数の層のスタックを備える、請求項１８−２１のいずれかに記載のディスプレイデバイス。
【請求項２３】
第１の４分の１波リターダが、前記空間光変調器と前記第１の導波管との間に配置される、請求項１８に記載のディスプレイデバイス。
【請求項２４】
前記第１の光エミッタからの光は、前記第１の導波管の実質的軸外に指向される、請求項１に記載のディスプレイデバイス。
【請求項２５】
前記第１の導波管は、略楔形状である、請求項１に記載のディスプレイデバイス。
【手続補正２】
【補正対象書類名】明細書
【補正対象項目名】０００６
【補正方法】変更
【補正の内容】
【０００６】
本願明細書は、例えば、以下の項目も提供する。
（項目１）
ディスプレイデバイスであって、
第１のスペクトル分布を有する第１の光エミッタと、
第１の導波管であって、前記第１の導波管は、前記第１の光エミッタに対して配置され、前記第１の光エミッタからの光を受光し、前記第１の導波管は、第１の経路に沿って、光を導波管から外に射出するように構成される、第１の導波管と、
前記第１の光エミッタの前記第１のスペクトル分布と異なる第２のスペクトル分布を有する第２の光エミッタと、
第２の導波管であって、前記第２の導波管は、前記第２の光エミッタに対して配置され、前記第２の光エミッタからの光を受光し、前記第２の導波管は、第２の経路に沿って、光を導波管から外に射出するように構成される、第２の導波管と、
空間光変調器であって、前記空間光変調器は、前記第１および第２の導波管に対して配置され、前記第１および第２の導波管から射出された前記光を受光し、前記光を変調させる、空間光変調器と
を備え、
前記ディスプレイデバイスは、前記第１および第２の導波管からの前記光が、前記空間光変調器によって変調された後、前記第１および第２の経路に沿って、異なる角度で指向され、前記第１の導波管からの前記光および前記第２の導波管からの前記光が、前記空間光変調器によって変調された後、前記導波管および空間光変調器からある距離における個別の第１および第２の空間場所上に入射するように構成される、ディスプレイデバイス。
（項目２）
前記第１および第２の光エミッタは、発光ダイオード（ＬＥＤ）を備える、項目１に記載のディスプレイデバイス。
（項目３）
前記第１および第２の光エミッタは、第１および第２の色の発光ダイオード（ＬＥＤ）を備え、前記第１の色のＬＥＤは、前記第２のＬＥＤと異なる色を有する、項目２に記載のディスプレイデバイス。
（項目４）
前記第１および第２の導波管は、平面導波管を備え、前記第１および第２のエミッタは、前記第１および第２の導波管の縁に対して配置され、光を、それぞれ、前記第１および第２の導波管の縁の中に投入する、項目１−３のいずれかに記載のディスプレイデバイス。
（項目５）
前記第１および第２の導波管は、方向転換特徴を含み、それぞれ、第１および第２の経路に沿って、光を前記第１および第２の導波管から外に射出する、項目１−４のいずれかに記載のディスプレイデバイス。
（項目６）
前記方向転換特徴は、回折光学要素、回折格子、ホログラフィック光学要素、またはメタ表面の一部を形成する、項目５に記載のディスプレイデバイス。
（項目７）
前記空間光変調器は、前記空間光変調器を通して透過される光を変調させるように構成される透過性空間光変調器を備える、項目１−６のいずれかに記載のディスプレイデバイス。
（項目８）
前記空間光変調器は、その上に入射する光を反射および変調させるように構成される反射性空間光変調器を備える、項目１−６のいずれかに記載のディスプレイデバイス。
（項目９）
前記第１および第２のスペクトル分布と異なる第３のスペクトル分布を有する第３の光エミッタと、
第３の導波管であって、前記第３の導波管は、前記第３の光エミッタに対して配置され、前記第３の光エミッタからの光を受光し、前記第３の導波管は、第３の経路に沿って、光を導波管から外に射出するように構成され、前記空間光変調器は、前記第３の導波管に対して配置され、前記第３の導波管から射出された前記光を受光し、前記光を変調させる、第３の導波管と
をさらに備え、
前記ディスプレイデバイスは、前記第３の導波管からの前記光が、前記空間光変調器によって変調された後、前記第３の経路に沿って、前記第１および第２の経路と異なる角度で指向され、前記第１、第２、および第３の導波管からの前記光が、前記空間光変調器によって変調された後、前記導波管および空間光変調器からある距離における個別の第１、第２、および第３の空間場所上に入射するように構成される、項目１に記載のディスプレイデバイス。
（項目１０）
前記第１、第２、および第３の光エミッタは、発光ダイオード（ＬＥＤ）を備える、項目９に記載のディスプレイデバイス。
（項目１１）
前記第１、第２、および第３の光エミッタは、第１、第２、および第３の色の発光ダイオード（ＬＥＤ）を備え、前記第１の色のＬＥＤは、前記第２の色のＬＥＤおよび第３の色のＬＥＤと異なる色を有し、前記第２の色のＬＥＤは、前記第３の色のＬＥＤと異なる色を有する、項目１０に記載のディスプレイデバイス。
（項目１２）
前記第１、第２、および第３の光エミッタは、それぞれ、赤色、緑色、および青色の発光ダイオード（ＬＥＤ）を備える、項目１１に記載のディスプレイデバイス。
（項目１３）
前記第１、第２、および第３の導波管は、平面導波管を備え、前記第１、第２、および第３の光エミッタは、前記第１、第２、および第３の導波管の縁に対して配置され、光を、それぞれ、前記第１、第２、および第３の導波管の縁の中に投入する、項目９−１２のいずれかに記載のディスプレイデバイス。
（項目１４）
前記第１、第２、および第３の導波管は、方向転換特徴を含み、それぞれ、第１、第２、および第３の経路に沿って、光を前記第１、第２、および第３の導波管から外に射出する、項目９−１３のいずれかに記載のディスプレイデバイス。
（項目１５）
前記方向転換特徴は、回折光学要素、回折格子、ホログラフィック光学要素、またはメタ表面の一部を形成する、項目１４に記載のディスプレイデバイス。
（項目１６）
前記空間光変調器は、前記空間光変調器を通して透過される光を変調させるように構成される透過性空間光変調器を備える、項目９−１５のいずれかに記載のディスプレイデバイス。
（項目１７）
前記空間光変調器は、その上に入射する光を反射および変調させるように構成される反射性空間光変調器を備える、項目９−１５のいずれかに記載のディスプレイデバイス。
（項目１８）
第４の導波管であって、前記第４の導波管は、前記第１の導波管および前記第１の経路に対して配置され、前記空間光変調器によって変調された後、第１の導波管からの光を受光する、それと関連付けられた内部結合光学要素を有する、第４の導波管と、
第５の導波管であって、前記第５の導波管は、前記第２の導波管および前記第２の経路に対して配置され、前記空間光変調器によって変調された後、第２の導波管からの光を受光する、それと関連付けられた内部結合光学要素を有する、第５の導波管と
をさらに備え、
それぞれ、前記第４および第５の導波管と関連付けられた前記内部結合光学要素は、それぞれ、前記第１および第２の経路に沿って、前記第１および第２の空間場所に位置し、それぞれ、前記第１および第２の光エミッタからの前記光を受光する、項目１−１７のいずれかに記載のディスプレイデバイス。
（項目１９）
前記第４および第５の導波管と関連付けられた前記内部結合光学要素は、光が、全内部反射によって、前記導波管内で誘導されるように、前記光を、それぞれ、第４および第５の導波管の中に方向転換させるように構成される、項目１８に記載のディスプレイデバイス。
（項目２０）
前記第４および第５の導波管のための前記内部結合光学要素は、全内部反射によって、その中で誘導されるように、光を、それぞれ、前記第４および第５の導波管の中に再指向するように構成される、方向転換特徴を備える、項目１８または１９に記載のディスプレイデバイス。
（項目２１）
前記内部結合光学要素は、１つ以上の回折光学要素、回折格子、ホログラフィック光学要素、またはメタ表面を備える、項目２０に記載のディスプレイデバイス。
（項目２２）
前記内部結合光学要素のうちの１つ以上のものは、波長選択的光学要素を備える、項目１８−２１のいずれか１項に記載のディスプレイデバイス。
（項目２３）
第６の導波管をさらに備える、項目１８−２０のいずれかに記載のディスプレイデバイス。
（項目２４）
前記第１および第２のスペクトル分布と異なる第３のスペクトル分布を有する第３の光エミッタと、
第３の導波管であって、前記第３の導波管は、前記第３の光エミッタに対して配置され、前記第３の光エミッタからの光を受光し、前記第３の導波管は、第３の経路に沿って、光を前記導波管から外に射出するように構成され、前記空間光変調器は、前記第３の導波管に対して配置され、前記第３の導波管から射出された前記光を受光し、前記光を変調させる、第３の導波管と
をさらに備え、
前記ディスプレイデバイスは、前記第３の導波管からの前記光が、前記空間光変調器によって変調された後、前記第３の経路に沿って、前記第１および第２の経路と異なる角度で指向され、前記第１、第２、および第３の導波管からの前記光が、前記空間光変調器によって変調された後、前記導波管および空間光変調器からある距離における個別の第１、第２、および第３の空間場所上に入射するように構成される、項目２３に記載のディスプレイデバイス。
（項目２５）
前記第６の導波管は、前記第３の導波管および前記第３の経路に対して配置され、前記空間光変調器によって変調された後、第３の導波管からの光を受光する、それと関連付けられた内部結合光学要素を有する、項目２４に記載のディスプレイデバイス。
（項目２６）
前記第６の導波管と関連付けられた前記内部結合光学要素は、前記第３の経路に沿って、前記第３の空間場所に位置し、前記第３の光エミッタからの前記光を受光する、項目２５に記載のディスプレイデバイス。
（項目２７）
前記第１、第２、および第３の光エミッタは、第１、第２、および第３の色の発光ダイオード（ＬＥＤ）を備え、前記第１の色のＬＥＤは、前記第２の色のＬＥＤおよび第３の色のＬＥＤと異なる色を有し、前記第２の色のＬＥＤは、前記第３の色のＬＥＤと異なる色を有する、項目２４−２６のいずれかに記載のディスプレイデバイス。
（項目２８）
前記第１、第２、および第３の光エミッタは、それぞれ、赤色、緑色、および青色の発光ダイオード（ＬＥＤ）を備える、項目２７に記載のディスプレイデバイス。
（項目２９）
前記第５の導波管と関連付けられた前記内部結合光学要素は、波長選択的であり、第１の色の光が、全内部反射によって、前記第５の導波管内で誘導されるように、より多くの第１の色の光を前記第５の導波管の中に方向転換させるように構成され、第２の色の光が、全内部反射によって、前記第６の導波管内で誘導されるように、より多くの第２の色の光を前記第６の導波管の中に方向転換させるように構成される、項目２３に記載のディスプレイデバイス。
（項目３０）
前記第５の導波管と関連付けられた前記波長選択的光学要素は、前記第１の色の光が、前記第５の導波管内で誘導され、前記第２の色の光が、前記波長選択的光学要素および前記第５の導波管を通して前記第６の導波管の中に透過され、前記第２の色の光が前記第６の導波管内で誘導されるように、前記波長選択的光学要素によって再指向されるように、反射によって、前記第１の色の光を前記第５の導波管の中に再指向するように構成される、項目２９に記載のディスプレイデバイス。
（項目３１）
前記第５の導波管と関連付けられた前記波長選択的光学要素は、１つ以上の回折光学要素、回折格子、ホログラフィック光学要素、またはメタ表面を備える、項目２９または３０に記載のディスプレイデバイス。
（項目３２）
第３のスペクトル分布を有する第３の光エミッタをさらに備え、前記第３の光エミッタは、前記第３の導波管が、前記第３の光エミッタからの光を受光し、前記第３の導波管が、前記第３の経路に沿って、前記光を導波管から外に射出し、前記導波管および空間光変調器からある距離における前記第２の空間場所上に入射させるように、前記第３の導波管に対して配置される、項目２９−３１のいずれかに記載のディスプレイデバイス。
（項目３３）
前記第１の光エミッタは、点光源を備える、項目１に記載のディスプレイデバイス。
（項目３４）
前記第１の光エミッタは、ライン光源を備える、項目１に記載のディスプレイデバイス。
（項目３５）
前記第１の光エミッタは、略線形配列のＬＥＤを備える、項目３４に記載のディスプレイデバイス。
（項目３６）
前記略線形配列のＬＥＤは、マイクロレンズアレイと関連付けられる、項目３５に記載のディスプレイデバイス。
（項目３７）
光を前記第１の導波管の中に指向する光ガイドを備える、項目１に記載のディスプレイデバイス。
（項目３８）
前記光ガイドは、前記第１の導波管の境界上に配置され、反射要素が、前記光ガイドの１つの境界に沿って配置される、項目３７に記載のディスプレイデバイス。
（項目３９）
光は、第１の外部結合要素を介して、前記第１の導波管から外部結合される、項目１に記載のディスプレイデバイス。
（項目４０）
前記第１の外部結合要素は、体積位相格子を備える、項目３９に記載のディスプレイデバイス。
（項目４１）
前記第１の外部結合要素は、コレステリック液晶格子を備える、項目３９に記載のディスプレイデバイス。
（項目４２）
前記第１の外部結合要素の回折効率は、前記第１の光エミッタまでの前記第１の外部結合要素の距離に沿って変動する、項目３９−４０のいずれかに記載のディスプレイデバイス。
（項目４３）
前記回折効率は、前記第１の光エミッタからの距離の増加に伴って、単調に減少する、項目４２に記載のディスプレイデバイス。
（項目４４）
前記第１の外部結合要素のピッチは、前記第１の光エミッタまでの前記第１の外部結合要素の距離に沿って変動する、項目３９−４３のいずれかに記載のディスプレイデバイス。
（項目４５）
前記第１の外部結合要素は、複数の層のスタックを備える、項目３９−４３のいずれかに記載のディスプレイデバイス。
（項目４６）
前記スタック内の第１の層は、第１の色の光を前記第１の導波管から外部結合するように構成され、前記スタック内の第２の層は、第２の色の光を前記第１の導波管から外部結合するように構成される、項目４５に記載のディスプレイデバイス。
（項目４７）
前記スタック内の第１の層は、第１の色を外部結合するように構成され、前記スタック内の第２の層は、前記第１の色を外部結合するように構成される、項目４５に記載のディスプレイデバイス。
（項目４８）
前記スタック内の第１の層は、第１の角度で前記第１の導波管の境界に遭遇する光を外部結合するように構成され、前記スタック内の第２の層は、第２の角度で前記第１の導波管の境界に遭遇する光を外部結合するように構成される、項目４５に記載のディスプレイデバイス。
（項目４９）
第１の４分の１波リターダが、前記空間光変調器と前記第１の導波管との間に配置される、項目３９に記載のディスプレイデバイス。
（項目５０）
第２の４分の１波リターダが、前記空間光変調器と反対の前記導波管の境界上に配置される、項目４９に記載のディスプレイデバイス。
（項目５１）
前記第１の光エミッタからの光は、前記第１の導波管の実質的軸外に指向される、項目１に記載のディスプレイデバイス。
（項目５２）
前記ディスプレイデバイスは、集束光学を前記第１の光エミッタと前記第１の導波管との間に備えない、項目１に記載のディスプレイデバイス。
（項目５３）
前記第１の導波管は、略楔形状である、項目１に記載のディスプレイデバイス。
（項目５４）
前記楔形状の第１の導波管は、前記第１の導波管の境界から反射する光の角度を変化させるように構成される、項目５３に記載のディスプレイデバイス。
いくつかの側面によると、ディスプレイデバイスであって、
光を放出するように構成される、１つ以上の光エミッタと、
該１つ以上の光エミッタに対して配置され、該１つ以上の光エミッタからの光を受光する、第１の導波管であって、（ｉ）第１の経路に沿って、第１の色を有する光を該導波管から外に射出し、（ｉｉ）第２の経路に沿って、第２の色を有する光を該第１の導波管から外に射出するように構成される、第１の導波管と、
該第１の導波管に対して配置され、該導波管から射出された該光を受光し、該光を変調させる、空間光変調器と、
を備え、
該１つ以上の光エミッタは、該第１および第２の色に対応するスペクトル成分を含む、スペクトル分布を有する、光を放出するように構成され、
該ディスプレイデバイスは、該第１の色および該第２の色の該第１の導波管からの該光が、該空間光変調器によって変調された後、該個別の第１および第２の経路に沿って、異なる角度で指向され、該第１の導波管および空間光変調器からある距離における、個別の第１および第２の空間場所上に入射するように構成される、
ディスプレイデバイスが、提供されてもよい。